(57)【要約】【課題】目印を釣り糸に取り付けてから目印の位置移動時に生じる摩擦の軽減化とずれの解消及び素材の有効活用を図り丈夫で目立つ簡易目印を提供する。【解決手段】ナイロンフィルム平板３の両面に糊を付けて、前記ナイロンフィルム平板３の外側にそれぞれ発泡スチロール平板１，５を貼り合わせて多層構造基板１１を形成し、釣り糸用ナイロン糸６により前記多層構造基板１１の表裏を貫いて全層を綴じ合わせ、前記多層構造基板１１の周縁に沿って適宜な間隔でループ状に縫合した後、前記多層構造基板１１の両面の全体に塗料４を塗り重ねて作製した。【選択図】図１
0003122862.tif 000002
【実用新案登録請求の範囲】
【請求項１】
ナイロンフィルム平板の両面に糊を付けて、前記ナイロンフィルム平板の外側にそれぞれ発泡スチロール平板を貼り合わせて多層構造基板を形成し、釣り糸用ナイロン糸により前記多層構造基板の表裏を貫いて全層を綴じ合わせ、前記多層構造基板の周縁に沿って適宜な間隔でループ状に縫合した後、前記多層構造基板の両面の全体に塗料を塗り重ねて作製したことを特徴とする釣り糸取付け用簡易目印。
【考案の詳細な説明】
【技術分野】
【０００１】  本考案は、発泡スチロール平板、ナイロンフィルム平板、糊、釣り糸用ナイロン糸、塗料から多層構造に形成される釣り糸取付け用簡易目印に関するものである。
【背景技術】
【０００２】  従来から河川での釣法の中に脈釣りを主体とした釣法に渓流釣りがある。例えば、鮠の脈釣りなどにおいては、釣り糸の位置や、魚が餌を食べ、釣り鉤りに掛かった状態を素早く察知する為に目印の活用が必要不可欠であり、それを効率良く、しかも早く感じ取る為に目印に使用されている材料がプラスチック、硬質のビニロン、発砲スチロール等の平板を小さく矢羽根形状に形成して使用している。【０００３】  しかしながら釣り糸を通す為に目印に開ける小孔の大きさ、位置、寸法、材質の厚さ等がまちまちで機能的にもっと材質の特性を活かした工夫や、改良が必要であり、又水流の波を被ると目印がずれる弱点もあり、更に目印を水流の波に被せない様、細心の注意が重要視されているのと、目印を取付けることにより釣り糸への強度にも影響があるので目印に更なる工夫が欲しいものであった。【０００４】  例えば、図５に示す従来の釣り糸様目印５０は、縦２．５センチメートル、横０．８センチメートル程の大きさで、プラスチック平板を用い、目印の位置移動を重ねる度に摩擦が起きる為に釣り糸への強度に影響が出てくるのと水流の波を被った時に、材質が硬い為ブレる振動が激しいので正確な鉤り掛かりが掴み難い。【０００５】  また、図６に示す従来の釣り糸用目印６０は、着脱は簡単であるが発泡スチロール平板のみを使用、裏面６０ａに粘着材を使用し、糸のすべりを係止役と工夫されるが釣り糸の劣化にも影響を及ぼし、釣り糸に直接貼り付けて使用する為、目印を取り付けた個所に粘着材が付着するので釣り糸への強度にも影響が有り、又素材を発泡スチロール平板のみを使用しているので平板自体も脆く且つ使い捨て使用なのでゴミや資源利用の観点からロスも多い。
【考案の開示】
【考案が解決しようとする課題】
【０００６】  このように、従来から使用されている釣り糸様目印の製品はプラスチック、硬質ビニロン、発泡スチロール等を使用しているにも関わらず一長一短であり、水流の波を被ると目印がずれる、つまり、制動的な機能が弱かったり、釣り糸を通す為に開けた小孔との関係で釣り糸との摩擦もある為に、釣り糸の強度にも影響がでたり、擦れたりで糸切れの原因に繋がりやすく、素材の選定や、小孔の開ける大きさ、位置、寸法、材質の厚さ等に改良が必要と思われるが、簡易目印と言う事もあって、経済的にも入手しやすく補充は新品交換での流れが当然の如くであるかの様にも取れ、しかしいつかは優れた良い改良品を望みつつながらも対応しているのが現状である。【０００７】  本考案は、上記の課題に更に工夫を重ね素材の特性を活かし目印を釣り糸に取り付けてから目印の位置移動時に生じる摩擦の軽減化とずれの解消及び素材の有効活用を図り丈夫で目立つ簡易目印を提供することを目的としたものである。
【課題を解決するための手段】
【０００８】  上記課題を解決するために請求項１記載の考案は、ナイロンフィルム平板の両面に糊を付けて、前記ナイロンフィルム平板の外側にそれぞれ発泡スチロール平板を貼り合わせて多層構造基板を形成し、釣り糸用ナイロン糸により前記多層構造基板の表裏を貫いて全層を綴じ合わせ、前記多層構造基板の周縁に沿って適宜な間隔でループ状に縫合した後、前記多層構造基板の両面の全体に塗料を塗り重ねて作製したことを特徴とする釣り糸取付け用簡易目印である。
【考案の効果】
【０００９】  本考案は、２枚の発泡スチロール平板の間にナイロンフィルム平板を芯地として挟んで多層構造基板を形成し、この多層構造基板の周縁に沿って適宜な間隔でループ状に全層を綴じ合わせた基板を使用する為、丈夫である。又、糸との摩擦軽減とずれの解消ができ、今度は多層構造基板の表面に視認性良好の塗料を塗布する。更に、実践で現地の川に赴き狙う川での水深に目印を設定すれば正確に流せて明快な当たりの確認が可能であり、また、釣り糸を通す小孔の開ける位置を工夫すれば反復使用も可能で、使い捨てせず、ゴミ排出も軽減になり環境にも配慮した簡易目印を提供するものである。
【考案を実施するための最良の形態】
【００１０】  以下、本考案の実施例を図１〜図４を参照して詳細に説明する。
【実施例】
【００１１】  図１は本考案に係る実施例の多層構造から成る釣り糸取付け用簡易目印全体の斜視図、図２は図１の実施例の側面図、図３は図１の実施例の釣り糸を取付けた状態の斜視図、図４は図１の実施例の使用方法の説明図である。【００１２】  図１および図２において、釣り糸取付け用簡易目印１０は、多層構造基板１１を主要な構成とするものである。この多層構造基板１１について、以下に説明する。【００１３】  多層構造基板１１は、薄いナイロンフィルム平板３の両面に糊を付けて、薄い発泡スチロール平板１，５をナイロンフィルム平板３の外側に貼り合わせて形成したものであり、このナイロンフィルム平板３は、厚さが０．１ｍｍで発泡スチロール平板１とナイロンフィルム平板３の間に糊による接着層２が設けられている。【００１４】  このような多層構造基板１１は、その周縁に沿って適宜な間隔で釣り糸用ナイロン糸６により多層構造基板１１の表裏を貫いて縫合し、全層を綴じ合わせている。【００１５】  このようにして丈夫な基板の原形を作り上げる、更に完成迄の作製工程を解説する。
具体的には多層構造基板１１の周縁に沿って適宜な間隔で、上側の端から下側の端に釣り糸用ナイロン糸６を通し、下側の端から上側の端に縫い上げ、この工程を順送りに繰り返して多層構造基板１１の形を整えながら表裏を貫いて全層を綴じ合わせる。そして、綴じ合わせ部分を一回りさせ、ループ状に縫合して多層構造基板１１を丈夫に仕上げ、一巡した最後の個所で釣り糸用ナイロン糸６を結んで留める。多層構造基板１１の表裏の各発泡スチロール平板１，５の表面に視認性良好な塗料４を塗り重ねて目立つ様に仕上げ塗料４が乾いたら完成とする。【００１６】  次に、釣り糸取付け用簡易目印１０の使用方法を説明する。図３は釣り糸７の通し方の一例を示しており、釣り糸７は、道糸８に鉤素９を結んで形成されている。釣り糸取付け用簡易目印１０は、釣り糸７を上部の小孔１２から右端の小孔１３に通し下から下部の小孔１４に取出して取り付けられている。釣り糸取付け用簡易目印１０において、各小孔１２，１３，１４の開ける位置については使用状況に応じこの図式通りではなく自在に変更して取付は可能で簡単にできる。【００１７】  一方、釣り糸７から釣り糸取付け用簡易目印１０を取り外すときには、道糸８と鉤素９の結合部分９ａの個所を切断して付け替えが可能である。万一、釣り糸取付け用簡易目印１０が、糸切れを起こし流出した場合に、釣り糸取付け用簡易目印１０を取り付け補充する場合も同様の手順で可能である。釣り糸取付け用簡易目印１０が、万一流出する事態が起きても釣り糸取付け用簡易目印１０は少量の素材の組合せによるものであり、形も小形なので、生物、自然環境に悪影響を及ぼす危険性は極めて少なく通常の使用状態であれば破損したり、外れたり、ずれ落ちたりして流失する事はなく、更に、丈夫である為優れた効果を発揮するものである。【００１８】  本考案は前記実施例に限定されるものではなく、実用新案登録請求の範囲に記載された本考案を逸脱することがなければ、種々の設計変更が可能であり、前記実施例に限定されないことはいうまでもない。
【図面の簡単な説明】
【００１９】
【図１】本考案の実施例１の釣り糸取付け用簡易目印の斜視図である。
【図２】図１の実施例の釣り糸取付け用簡易目印の側面図である。
【図３】図１の実施例の釣り糸取付け用簡易目印に釣り糸を取付けた状態の斜視図である。
【図４】図１の実施例の釣り糸取付け用簡易目印の使用方法の説明図である。
【図５】従来の第１例を示す概略図である。
【図６】従来の第２例を示す概略図である。
【符号の説明】
【００２０】  １，５  発泡スチロール平板
２  接着層
３  ナイロンフィルム平板
４  塗料
６  釣り糸用ナイロン糸
７  釣り糸
８  道糸
９  鉤素
１０  釣り糸取付け用簡易目印
１１  多層構造基板
１２，１３，１４  各小孔
５０，６０  釣り糸様目印
６０ａ  釣り糸用目印の裏面
【図１】
0003122862.tif 000003
【図２】
0003122862.tif 000004
【図３】
0003122862.tif 000005
【図４】
0003122862.tif 000006
【図５】
0003122862.tif 000007
【図６】
0003122862.tif 000008